(57)【要約】【課題】従来技術と比較して、生体の情報を含む複数の情報を精度よく検出することができる生体情報検出装置を提供する。【解決手段】生体情報検出装置１は、主面２３ａが使用者に面した状態で、使用者の手首に装着される筐体２０と、使用者の手首の表面に近接配置されて使用者の情報として、体温を取得する第一情報取得部４３と、第一情報取得部４３とは異なる情報として使用者の脈波形を取得する第二情報取得部４５と、を含み、筐体２０の主面２３ａから突出した突出部４１を有する検出部４０と、を備えている。第一情報取得部４３は、温度センサ４４を備えている。筐体２０は、検出部４０よりも熱伝導率の低い材料により形成されている。検出部４０は、筐体２０に対して弾性部材であるシールリング５１を介して圧入されている。【選択図】図４
2019092910.tif 000002
【特許請求の範囲】
【請求項１】
主面が生体に面した状態で、前記生体の被測定箇所に装着される筐体と、
前記生体の表面に近接配置されて前記生体の情報を取得する第一情報取得部と、前記第一情報取得部とは異なる情報を取得する第二情報取得部と、を含み、前記筐体の前記主面から突出した突出部を有する検出部と、
を備えたことを特徴とする生体情報検出装置。
【請求項２】
請求項１に記載の生体情報検出装置であって、
前記第一情報取得部は、温度センサを備えたことを特徴とする生体情報検出装置。
【請求項３】
請求項２に記載の生体情報検出装置であって、
装着状態において、前記検出部における前記温度センサと前記生体との間に配置される領域は、金属材料により形成されていることを特徴とする生体情報検出装置。
【請求項４】
請求項２または３に記載の生体情報検出装置であって、
前記筐体は、前記検出部よりも熱伝導率の低い材料により形成されていることを特徴とする生体情報検出装置。
【請求項５】
請求項１から４のいずれか１項に記載の生体情報検出装置であって、
前記検出部は、前記筐体に対して弾性部材を介して圧入されていることを特徴とする生体情報検出装置。
【請求項６】
請求項１から５のいずれか１項に記載の生体情報検出装置であって、
前記検出部における前記突出部は、平面視したときの外形が前記生体の被測定箇所よりも小さいことを特徴とする生体情報検出装置。
【請求項７】
請求項１から６のいずれか１項に記載の生体情報検出装置であって、
前記第二情報取得部は、前記生体の脈拍に関する情報を取得することを特徴とする生体情報検出装置。
【請求項８】
請求項１から７のいずれか１項に記載の生体情報検出装置であって、
前記第一情報取得部および前記第二情報取得部のいずれか一方は、前記被測定箇所に対する前記検出部の装着状態に関する情報を取得することを特徴とする生体情報検出装置。
【請求項９】
請求項１から８のいずれか１項に記載の生体情報検出装置であって、
前記生体の手首に装着可能とされていることを特徴とする生体情報検出装置。
【発明の詳細な説明】
【技術分野】
【０００１】
本発明は、生体情報検出装置に関するものである。
【背景技術】
【０００２】
生体情報検出装置として、身体に装着して生体表面に接触させ、生体信号を検出するものが存在する（例えば特許文献１参照）。
特許文献１に記載の生体情報検出装置は、感温素子と脈波情報を検出する素子とを兼ね備えた検出部を有した測定部を備えている。測定部は、粘着剤付きシートにより体表面に固定される。特許文献１に記載の技術によれば、測定部は体表面に密着でき、体温の温度測定と脈拍測定とを同時にかつ容易に行うことができるとされている。
【先行技術文献】
【特許文献】
【０００３】
【特許文献１】実開平５−２９５０４号公報
【発明の概要】
【発明が解決しようとする課題】
【０００４】
しかしながら、特許文献１に記載の技術にあっては、例えば生体の汗や、運動中の振動等により、粘着剤付きシートおよび測定部が体表面から剥離し、体温や脈拍等の生体の情報を正確に検出できないおそれがある。したがって、従来技術にあっては、複数の生体の情報を精度よく検出するという点で改善の余地が残されている。
【０００５】
そこで、本発明は、上記事情に鑑みたものであって、従来技術と比較して、生体の情報を含む複数の情報を精度よく検出することができる生体情報検出装置の提供を課題としている。
【課題を解決するための手段】
【０００６】
上記の課題を解決するため、本発明の生体情報検出装置は、主面が生体に面した状態で、前記生体の被測定箇所に装着される筐体と、前記生体の表面に近接配置されて前記生体の情報を取得する第一情報取得部と、前記第一情報取得部とは異なる情報を取得する第二情報取得部と、を含み、前記筐体の前記主面から突出した突出部を有する検出部と、を備えたことを特徴としている。
【０００７】
この構成によれば、検出部は、第一情報取得部と第二情報取得部と、を含み、筐体の主面から突出した突出部を有するので、主面が生体に面した状態で、生体の被測定箇所に筐体を装着したときに、被測定箇所に対して突出部が確実に当接することができる。これにより、突出部は、生体の被測定箇所に対して密着できるので、第一情報取得部および第二情報取得部により情報を精度よく検出できる。したがって、本発明の生体情報検出装置は、従来技術と比較して、生体の情報を含む複数の情報を精度よく検出することができる。
【０００８】
また、本発明の生体情報検出装置は、前記第一情報取得部は、温度センサを備えたことを特徴としている。
【０００９】
この構成によれば、第一情報取得部は、温度センサを備えているので、突出部が生体の被測定箇所に対して密着した状態で、生体の情報として体温を検出することができる。したがって、本発明の生体情報検出装置は、従来技術と比較して、第一情報取得部により検出される体温を含む、複数の情報を精度よく検出することができる。
【００１０】
また、本発明の生体情報検出装置は、装着状態において、前記検出部における前記温度センサと前記生体との間に配置される領域は、金属材料により形成されていることを特徴としている。
【００１１】
この構成によれば、検出部における温度センサと生体との間に配置される領域は、金属材料により形成されているので、例えば樹脂材料により形成された場合と比較して、温度センサに対して生体の体温を迅速かつ精度よく伝達することができる。したがって、本発明によれば、高性能な生体情報検出装置とすることができる。
【００１２】
また、本発明の生体情報検出装置は、前記筐体は、前記検出部よりも熱伝導率の低い材料により形成されていることを特徴としている。
【００１３】
この構成によれば、筐体は、検出部よりも熱伝導率の低い材料により形成されているので、筐体に対して生体の体温が伝達して放熱するのを抑制しつつ、温度センサに対して生体の体温を迅速かつ精度よく伝達することができる。したがって、本発明によれば、高性能な生体情報検出装置とすることができる。
【００１４】
また、本発明の生体情報検出装置は、前記検出部は、前記筐体に対して弾性部材を介して圧入されていることを特徴としている。
【００１５】
この構成によれば、検出部は、筐体に対して弾性部材を介して圧入されているので、例えば筐体内部の電池の交換や分解整備等のメンテナンス作業時において、弾性部材を変形させて検出部を筐体から外すことができる。したがって、本発明によれば、メンテナンス性に優れた生体情報検出装置とすることができる。
また、弾性部材に例えばゴム材料等のシール性に優れた材料を採用した場合には、筐体と検出部との密閉性を確保できる。これにより、本発明の生体情報検出装置は、生体が発する汗や、雨天時の雨水等の水分の侵入を防止できる。したがって、本発明によれば、防水性を備えた高性能な生体情報検出装置とすることができる。
【００１６】
また、本発明の生体情報検出装置は、前記検出部における前記突出部は、平面視したときの外形が前記生体の被測定箇所よりも小さいことを特徴としている。
【００１７】
この構成によれば、検出部における突出部は、平面視したときの外形が生体の被測定箇所よりも小さいので、装着状態において、検出部における突出部の全面を生体の被測定箇所に対して密着させることができるとともに、突出部が大気中に露出するのを防止できる。これにより、本発明の生体情報検出装置は、検出部に伝達された生体の体温が大気中に放熱するのを抑制しつつ、温度センサに対して生体の体温を迅速かつ精度よく伝達することができる。したがって、本発明によれば、高性能な生体情報検出装置とすることができる。
【００１８】
また、本発明の生体情報検出装置は、前記第二情報取得部は、前記生体の脈拍に関する情報を取得することを特徴としている。
【００１９】
この構成によれば、第二情報取得部は、生体の脈拍に関する情報を取得するので、突出部が生体の被測定箇所に対して密着した状態で、第一情報取得部により取得される生体の情報に加えて、第二情報取得部により生体の情報として脈拍に関する情報を取得することができる。したがって、本発明の生体情報検出装置は、従来技術と比較して、第一情報取得部により検出される生体の情報、および第二情報取得部により検出される生体の脈拍に関する情報を含む、複数の情報を精度よく検出することができる。
【００２０】
また、本発明の生体情報検出装置は、前記第一情報取得部および前記第二情報取得部のいずれか一方は、前記被測定箇所に対する前記検出部の装着状態に関する情報を取得することを特徴としている。
【００２１】
この構成によれば、第一情報取得部および第二情報取得部のいずれか一方は、被測定箇所に対する検出部の装着状態に関する情報を取得するので、突出部が生体の被測定箇所に対して密着した状態で装着されているか否かを確認しつつ、第一情報取得部により取得される生体の情報を確実に取得することができる。したがって、本発明の生体情報検出装置は、従来技術と比較して、第一情報取得部により検出される生体の情報と、第一情報取得部および第二情報取得部のいずれか一方で取得する検出部の装着状態に関する情報と、を含む複数の情報を精度よく検出することができる。
【００２２】
また、本発明の生体情報検出装置は、前記生体の手首に装着可能とされていることを特徴とする。
【００２３】
この構成によれば、生体の手首に装着できるので、使い勝手のよい生体情報検出装置とすることができる。また、脈動の大きな手首に装着することにより、例えば生体の情報として脈拍に関する情報を検出する場合においては、精度よく検出することができる。
【発明の効果】
【００２４】
本発明の生体情報検出装置によれば、従来技術と比較して、生体の情報を含む複数の情報を精度よく検出することができる。
【図面の簡単な説明】
【００２５】
【図１】実施形態の生体情報検出装置を使用者が装着した状態を示す模式図である。
【図２】実施形態の生体情報検出装置を表側から見たときの斜視図である。
【図３】実施形態の生体情報検出装置を裏側から見たときの斜視図である。
【図４】図２におけるＩＶ−ＩＶ線に沿った断面図である。
【発明を実施するための形態】
【００２６】
以下、本発明の実施の形態について図面を参照しながら説明する。
図１は、実施形態の生体情報検出装置を使用者が装着した状態を示す模式図である。なお、図１においては、使用者Ｕ（生体）の手首を二点鎖線で図示している。
図１に示すように、生体情報検出装置１は、使用者Ｕの手首Ｕ１に装着される。詳細は後述するが、本実施形態の生体情報検出装置１は、使用者Ｕの情報として例えば、体温と脈波形（脈拍に関する情報）を検出している。
なお、以下では、使用者Ｕが生体情報検出装置１を装着した状態で使用者Ｕの手首Ｕ１に接する側を裏側と称し、その反対側であって使用者Ｕの手首Ｕ１から離間する方向を表側と称して説明する。
【００２７】
図２は、実施形態の生体情報検出装置を表側から見たときの斜視図である。
図３は、実施形態の生体情報検出装置を裏側から見たときの斜視図である。
図１から図３に示すように、生体情報検出装置１は、ブロック状に形成された装置本体２と、一対の固定ベルト３Ａ，３Ｂと、を備えている。
一対の固定ベルト３Ａ，３Ｂは、一方向に沿って延びており、それぞれ装置本体２を挟んで両側に配置されている。一対の固定ベルト３Ａ，３Ｂは例えば皮革や硬質のゴム等により形成されている。
【００２８】
一方の固定ベルト３Ａの一端は、装置本体２に対して回動可能に接続されている。一方の固定ベルト３Ａの他端には、尾錠３０が設けられている。尾錠３０は、環状の尾錠枠３１と、尾錠枠３１の内側に配置されるつく棒３３と、を有している。一方の固定ベルト３Ａには、環状の遊革３５（例えば、図１参照）が、延在方向に沿って移動可能に挿通されている。
他方の固定ベルト３Ｂには、厚さ方向に貫通する複数の小穴３７が設けられている。複数の小穴３７は、他方の固定ベルト３Ｂの延在方向に沿って、所定間隔をあけて複数形成されている。一対の固定ベルト３Ａ，３Ｂは、小穴３７につく棒３３が挿通されることで互いに連結される。
図１に示すように、生体情報検出装置１は、一対の固定ベルト３Ａ，３Ｂを使用者Ｕの手首Ｕ１に巻回し、尾錠３０により一方の固定ベルト３Ａと他方の固定ベルト３Ｂとを連結することで、使用者Ｕの手首Ｕ１に装着される。
【００２９】
図４は、図２におけるＩＶ−ＩＶ線に沿った断面図である。
図４に示すように、装置本体２は、筐体２０と、検出部４０と、を備えている。
筐体２０は、ケース２１と、蓋部２３と、を備えている。
ケース２１は、例えば樹脂材料により形成されている。ケース２１は、裏側に開口しており、凹状の断面形状となっている。
蓋部２３は、例えば樹脂材料により形成されている。蓋部２３は、板状に形成されており、ケース２１の開口を閉塞している。蓋部２３には、後述する検出部４０が取り付けられる取付凹部２５が形成されている。取付凹部２５は、平面視で円形状に形成されており、一部が貫通している。
【００３０】
ケース２１と蓋部２３とは、例えばネジ２４等（図３参照）により締結固定されている。これにより、ケース２１と蓋部２３との間には、バッテリー６１や、第一アンテナ６３、第二アンテナ６５、複数の回路基板６７，６８，６９等が収容可能な収容部２２が形成される。
ケース２１と蓋部２３との間には、例えばゴム材料により形成されたＯリング２７が設けられている。Ｏリング２７は、ケース２１および蓋部２３の縁部に沿って、全周にわたって配置されている。これにより、ケース２１と蓋部２３とのシール性を確保している。
【００３１】
収容部２２には、バッテリー６１や、第一アンテナ６３、第二アンテナ６５、複数の回路基板６７，６８，６９が収容されている。
バッテリー６１は、収容部２２内において、一対の固定ベルト３Ａ，３Ｂよりも外側の領域に配置されている。バッテリー６１は、例えば円柱状に形成されたリチウムイオンバッテリーが採用される。
第一アンテナ６３および第二アンテナ６５は、収容部２２内において、一対の固定ベルト３Ａ，３Ｂに対応した領域に配置されている。第一アンテナ６３および第二アンテナ６５は、生体情報検出装置１の外部に設けられた受信機（不図示）や、外部基地局等とのデータの送受信等に用いられる。
【００３２】
複数の回路基板６７，６８，６９は、それぞれ後述する温度センサ４４や脈拍センサ４６と電気的に接続されている。回路基板６７，６８，６９は、不図示の配線パターンが施されており、ＩＣチップ等が搭載されている。回路基板６７，６８，６９は、後述する第一情報取得部４３や第二情報取得部４５により検出されるデータや、第一アンテナ６３および第二アンテナ６５により送受信されるデータ等を処理等するために用いられる。
【００３３】
検出部４０は、筐体２０の裏側に位置する蓋部２３の取付凹部２５に配置されている。検出部４０は、全体として平面視円形状に形成されている。
検出部４０の大部分を占める検出部本体４０Ａは、例えば平板のステンレスによりリング状に形成されている。検出部本体４０Ａを形成する材料は、ステンレスに限定されることはなく、例えば金や銀、銅、アルミニウム、チタン等であってもよい。検出部本体４０Ａを形成する材料は、樹脂材料により形成された筐体２０よりも熱伝導率が高い材料が好ましく、金属材料が特に好ましい。
【００３４】
検出部本体４０Ａの内面であって、筐体２０の中央部に近い位置には、温度センサ配置部４１ａが形成されている。温度センサ配置部４１ａは、平面視で楕円形状をしており、裏側に向かって凹んでいる。温度センサ配置部４１ａには、第一情報取得部４３を構成する温度センサ４４が配置されている。
【００３５】
検出部本体４０Ａの外面であって、検出部本体４０Ａの中央部には、段部４１ｂが形成されている。段部４１ｂは、平面視で検出部本体４０Ａと同軸の円形状をしており、表側に向かって凹んでいる。
段部４１ｂよりも内側には、貫通部４１ｃが形成されている。貫通部４１ｃは、平面視で検出部本体４０Ａおよび段部４１ｂと同軸の円形状をしており、検出部本体４０Ａを貫通する。
段部４１ｂおよび貫通部４１ｃには、第二情報取得部４５を構成する脈拍センサ４６が配置されている。
【００３６】
検出部本体４０Ａにおける温度センサ配置部４１ａに対応した位置は、第一情報取得部４３となっている。第一情報取得部４３は、使用者Ｕの手首Ｕ１の表面に密着した状態で、使用者Ｕの情報として使用者Ｕの体温を検出する。
第一情報取得部４３は、温度センサ配置部４１ａ内に配置された温度センサ４４を含む。温度センサ４４は、例えば温度により熱抵抗値が変化する、いわゆるサーミスタが採用されている。温度センサ４４は、例えばフレキシブル基板５５により、回路基板６８に対して電気的に接続されている。温度センサ４４からの信号は、第一情報取得部４３により取得した使用者Ｕの体温の情報として、回路基板６７，６８，６９や第一アンテナ６３、第二アンテナ６５等を介して外部に設けられた受信機や外部基地局等と送受信される。
【００３７】
検出部本体４０Ａにおける段部４１ｂおよび貫通部４１ｃに対応した位置は、第二情報取得部４５となっている。第二情報取得部４５は、使用者Ｕの手首Ｕ１の表面に密着した状態で、使用者Ｕの情報として使用者Ｕの脈波形を検出する。
第二情報取得部４５は、センシング窓４６ａと、一対の発光部４６ｂと、受光部４６ｃとにより構成された脈拍センサ４６を含む。
【００３８】
センシング窓４６ａは、段部４１ｂの直径よりもわずかに小さい直径を有する円板状に形成されている。センシング窓４６ａは、例えばガラスやアクリル樹脂等の光透過性を有する部材により形成されている。センシング窓４６ａは、例えばゴム材料により形成されたシールリング５３を介して、検出部本体４０Ａの段部４１ｂの内側に圧入されている。これにより、センシング窓４６ａと検出部本体４０Ａとの密閉性が確保されるので、センシング窓４６ａと検出部本体４０Ａとの間から使用者Ｕが発する汗や雨天時の雨水等の水分の侵入が防止される。検出部本体４０Ａに圧入されたセンシング窓４６ａと、検出部本体４０Ａの表面とは、面一となっている。これにより、第一情報取得部４３と第二情報取得部４５とは、検出部本体４０Ａの表面において、面一となっている。
【００３９】
一対の発光部４６ｂは、例えばＬＥＤ（Ｌｉｇｈｔ  Ｅｍｉｔｔｉｎｇ  Ｄｉｏｄｅ）等の発光素子が採用される。
受光部４６ｃは、例えば光が入射したときに電流が流れるフォトダイオードが採用される。
一対の発光部４６ｂおよび受光部４６ｃは、検出部本体４０Ａの貫通部４１ｃの内側において、回路基板６９に固定されている。
【００４０】
一対の発光部４６ｂからの光は、センシング窓４６ａを通じて使用者Ｕの手首Ｕ１の動脈血に照射される。ここで、動脈血中の酸素化ヘモグロビンは、光を吸収する性質を有している。受光部４６ｃは、時系列に反射光量をセンシングする。これにより、第二情報取得部４５の脈拍センサ４６は、使用者Ｕの脈波形を検出することができる。
脈拍センサ４６からの信号は、第二情報取得部４５により取得した使用者Ｕの脈波形の情報として、回路基板６７，６８，６９や、第一アンテナ６３、第二アンテナ６５等を介して外部に設けられた受信機や外部基地局等と送受信される。
【００４１】
上述のように構成された検出部４０は、筐体２０の蓋部２３に対して、例えばゴム材料により形成されたシールリング５１（弾性部材）を介して圧入されている。これにより、検出部４０と筐体２０の蓋部２３との密閉性が確保されるので、検出部４０と筐体２０の蓋部２３との間から使用者Ｕが発する汗や、雨天時の雨水等の水分の侵入が防止される。検出部４０は、蓋部２３の主面２３ａから所定高さだけ突出した状態で筐体２０に取り付けられる。これにより、検出部４０は、第一情報取得部４３と、第二情報取得部４５と、を含み、筐体２０の蓋部２３の主面２３ａから突出した、平面視円形状の突出部４１を備える。
【００４２】
また、検出部４０における突出部４１は、表側から平面視したときの外形が使用者Ｕの手首Ｕ１よりも小さくなっている。これにより、検出部４０における突出部４１の全面は、装着状態において、被測定箇所である使用者Ｕの手首Ｕ１に対して密着する。
また、突出部４１の外縁部は、径方向の内側から外側に向かって、筐体２０の蓋部２３に向かって近づくように傾斜するテーパ面４１ｄを有する。テーパ面４１ｄを有することにより、使用者Ｕの手首Ｕ１の表面に突出部４１が密着した場合であっても、エッジが当たるのを緩和できるので、装着感に優れた生体情報検出装置１とすることができる。
【００４３】
上述の実施形態によれば、検出部４０は、第一情報取得部４３と第二情報取得部４５と、を含み、筐体２０を構成する蓋部２３の主面２３ａから突出した突出部４１を有するので、主面２３ａが使用者Ｕの手首Ｕ１の表面に面した状態で、使用者Ｕの手首Ｕ１（すなわち生体の被測定箇所）に筐体２０を装着したときに、使用者Ｕの手首Ｕ１に対して突出部４１が確実に当接することができる。これにより、突出部４１は、使用者Ｕの手首Ｕ１に対して密着できるので、第一情報取得部４３および第二情報取得部４５により情報を精度よく検出できる。したがって、本実施形態の生体情報検出装置１は、従来技術と比較して、体温および脈波形（脈拍に関する情報）を精度よく検出することができる。
【００４４】
また、本実施形態によれば、第一情報取得部４３は、温度センサ４４を備えているので、突出部４１が使用者Ｕの手首Ｕ１に対して密着した状態で、使用者Ｕの情報として体温を検出することができる。したがって、本実施形態の生体情報検出装置１は、従来技術と比較して、第一情報取得部４３により検出される体温を含む、複数の情報を精度よく検出することができる。
【００４５】
また、本実施形態によれば、検出部４０における温度センサ４４と使用者Ｕの手首Ｕ１との間の領域に配置される検出部本体４０Ａは、金属材料により形成されているので、例えば樹脂材料により形成された場合と比較して、温度センサ４４に対して使用者Ｕの体温を迅速かつ精度よく伝達することができる。したがって、本実施形態によれば、高性能な生体情報検出装置１とすることができる。
【００４６】
また、本実施形態によれば、樹脂材料により形成された筐体２０は、金属材料により形成された検出部４０よりも熱伝導率が低いので、筐体２０に対して使用者Ｕの体温が伝達して放熱するのを抑制しつつ、温度センサ４４に対して使用者Ｕの体温を迅速かつ精度よく伝達することができる。したがって、本実施形態によれば、高性能な生体情報検出装置１とすることができる。
【００４７】
また、本発実施形態によれば、検出部４０は、筐体２０の蓋部２３に対してシールリング５１（弾性部材）を介して圧入されているので、例えば筐体２０内部のバッテリー６１の交換や分解整備等のメンテナンス作業時において、シールリング５１を変形させて検出部４０を筐体２０から外すことができる。したがって、本実施形態によれば、メンテナンス性に優れた生体情報検出装置１とすることができる。
また、ゴム材料により形成されたシールリング５１を採用しているので、筐体２０と検出部４０との密閉性を確保できる。これにより、本実施形態の生体情報検出装置１は、使用者Ｕが発する汗や雨天時の雨水等の水分の侵入を防止できる。したがって、本実施形態によれば、防水性を備えた高性能な生体情報検出装置１とすることができる。
【００４８】
また、本実施形態によれば、検出部４０における突出部４１は、平面視したときの外形が被測定箇所である使用者Ｕの手首Ｕ１の表面よりも小さいので、装着状態において、検出部４０における突出部４１の全面を被測定箇所である使用者Ｕの手首Ｕ１に対して密着させることができるとともに、突出部４１が大気中に露出するのを防止できる。これにより、本実施形態の生体情報検出装置１は、検出部４０に伝達された使用者Ｕの体温が大気中に放熱するのを抑制しつつ、温度センサ４４に対して使用者Ｕの体温を迅速かつ精度よく伝達することができる。したがって、本実施形態によれば、高性能な生体情報検出装置１とすることができる。
【００４９】
また、本実施形態によれば、第二情報取得部４５は、使用者Ｕの脈拍に関する情報として、使用者Ｕの脈波形を取得するので、突出部４１が使用者Ｕの手首Ｕ１に対して密着した状態で、第一情報取得部４３により取得される体温に加えて、第二情報取得部４５により脈波形を取得することができる。したがって、本実施形態の生体情報検出装置１は、従来技術と比較して、第一情報取得部４３により検出される体温、および第二情報取得部４５により検出される脈波形を含む、複数の情報を精度よく検出することができる。
【００５０】
また、本実施形態によれば、使用者Ｕの手首Ｕ１に装着できるので、使い勝手のよい生体情報検出装置１とすることができる。また、脈動の大きな手首Ｕ１に装着することにより、脈波形を精度よく検出することができる。
【００５１】
なお、本発明の技術範囲は上述した実施形態に限定されるものではなく、本発明の趣旨を逸脱しない範囲において種々の変更を加えることが可能である。
【００５２】
上述の実施形態では、第一情報取得部４３により使用者Ｕの体温を検出し、第二情報取得部４５により使用者Ｕの脈波形を検出していた。
これに対して、例えば第二情報取得部４５において照度計を備え、照度を検出することにより使用者Ｕの被測定箇所に対する検出部４０の装着状態に関する情報を取得してもよい。また、第一情報取得部４３により使用者Ｕの脈波形を検出し、第二情報取得部４５により使用者Ｕの被測定箇所に対する検出部４０の装着状態に関する情報を取得してもよい。
すなわち、生体情報検出装置１は、第一情報取得部４３および第二情報取得部４５により検出される情報は、実施形態に限定されることはない。生体情報検出装置１は、第一情報取得部４３により生体の情報を取得し、第二情報取得部４５により第一情報取得部４３とは異なる情報を取得していればよい。
ここで、装着状態に関する情報としては、生体情報検出装置１が使用者Ｕに対して各種情報が取得可能な状態で装着されているか否かに関する情報である。
そして、その判断の一例としては、例えば、生体情報検出装置１が使用者Ｕに対して各種情報が取得可能な状態で装着されている場合には、検出部４０が使用者Ｕの手首に接しており、照度計が示す照度は、検出部４０が使用者Ｕの手首に接していない場合に比べて低い（暗い）値を示す。
一方、生体情報検出装置１が使用者Ｕに対して各種情報が取得可能な状態で装着されていない場合、例えば、検出部４０と使用者Ｕの手首に隙間がある場合には、かかる隙間から外光が入り込み、照度計が示す照度は、検出部４０が使用者Ｕの手首に接している場合に比べて高い（明るい）値を示す。これらの値を比較することにより、かかる装着状態を判別するようになっている。
【００５３】
また、第一情報取得部４３により使用者Ｕの体温を検出し、第二情報取得部４５により使用者Ｕの脈波形を検出するのに加えて、照度計を備えた第二情報取得部４５をさらに設け、照度を検出することにより、使用者Ｕの被測定箇所に対する検出部４０の装着状態に関する情報を取得してもよい。すなわち、第二情報取得部４５では、使用者Ｕの脈波形を検出するのに加えて、照度を検出することにより、使用者Ｕの被測定箇所に対する検出部４０の装着状態に関する情報を取得するようにしてもよい。
また、第一情報取得部４３および第二情報取得部４５の数は実施形態に限定されることはなく、それぞれ複数設けてもよい。例えば、検出部４０又はその他の場所に第三情報取得部をさらに設けて、照度を検出することにより、使用者Ｕの被測定箇所に対する検出部４０の装着状態に関する情報を取得してもよい。
【００５４】
上述の実施形態では、生体情報検出装置１は、使用者Ｕの脈拍に関する情報として、第二情報取得部４５により使用者Ｕの脈波形を検出していたが、脈拍に関する情報は、使用者Ｕの脈波形に限定されない。したがって、生体情報検出装置１は、第二情報取得部４５により取得する使用者Ｕの脈拍に関する情報として、例えば脈拍数や脈拍速度を検出してもよい。
【００５５】
上述の実施形態では、生体情報検出装置１は、使用者Ｕの手首Ｕ１に装着されていたが、生体情報検出装置１の装着箇所は使用者Ｕの手首Ｕ１に限定されない。したがって、生体情報検出装置１の装着箇所は、例えば使用者Ｕの胸部や上腕部等であってもよい。ただし、本実施形態のように、第二情報取得部４５により使用者Ｕの脈波形を検出する場合には、動脈に近い手首Ｕ１に装着されているのが好適である。
【００５６】
上述の実施形態では、第一情報取得部４３と第二情報取得部４５とは、突出部４１において互いに面一となるように設けられていたが、第一情報取得部４３と第二情報取得部４５とは互いに面一となっていなくてもよい。少なくとも第一情報取得部４３と第二情報取得部４５とが、使用者Ｕの被測定箇所に対して密着可能となっていれば、相互関係は特に限定されない。
【００５７】
上述の実施形態では、検出部４０は、筐体２０の蓋部２３に対してシールリング５１を介して圧入されていたが、検出部４０と筐体２０の蓋部２３との間に介在する部材は、ゴム材料からなるシールリング５１に限定されることはない。したがって、検出部４０は、筐体２０の蓋部２３に対して、例えばウレタン材料等の弾性部材を介して圧入されていてもよい。ただし、防水性を確保できる点において、検出部４０と筐体２０の蓋部２３との間に介在する部材は、実施形態におけるゴム材料からなるシールリング５１が好ましい。
【００５８】
上述の実施形態では、検出部４０は、筐体２０の蓋部２３に対してシールリング５１を介して圧入されていたが、検出部４０の固定方法は圧入に限定されない。したがって、検出部４０は、ネジ等により固定されていてもよいし、スナップフィット等により固定されていてもよい。また、検出部４０は、筐体２０の蓋部２３に対して接着剤により固定されていてもよい。ただし、検出部４０の固定方法としては、実施形態のような圧入や、ネジ、スナップフィット等、検出部４０と筐体２０の蓋部２３とが着脱可能となっている形態が、良好なメンテナンス性を確保できる点で優位性がある。
【００５９】
上述の実施形態では、検出部４０は、全体として平面視円形状に形成されていたが、検出部４０の形状は実施形態に限定されない。したがって、検出部４０は、例えば全体として平面視矩形状に形成されていてもよい。
また、検出部４０の検出部本体４０Ａは、平板のステンレスによりリング状に形成されていたが、検出部本体４０Ａの形状は実施形態に限定されない。したがって、検出部本体４０Ａは、例えば使用者Ｕの手首Ｕ１の表面に沿うように湾曲した板部材により形成されていてもよい。
【００６０】
上述の実施形態では、検出部４０の検出部本体４０Ａは、金属材料により形成されていたが、検出部本体４０Ａを形成する材料は、金属材料に限定されない。したがって、例えば、検出部４０の検出部本体４０Ａは、樹脂材料により形成されていてもよい。特に、生体情報検出装置１のバッテリー６１が無線給電により充電される場合においては、電磁誘導を妨げないという点で、検出部本体４０Ａが樹脂材料であることが好ましい。
【００６１】
上述の実施形態では、検出部４０の検出部本体４０Ａは、全体が金属材料により形成されていたが、モールド成型等により、樹脂材料と金属材料とで形成されていてもよい。例えば、検出部本体４０Ａのうち、装着状態において温度センサ４４と使用者Ｕとの間に配置される領域に金属材料を配置し、他の領域に樹脂材料を配置してもよい。さらに、検出部本体４０Ａのうち、検出部本体４０Ａが筐体２０に圧入されるときに荷重が加わる縁部や、センシング窓４６ａが検出部本体４０Ａに圧入されるときに荷重が加わる段部４１ｂに対応する領域にも金属材料を配置し、他の領域に樹脂材料を配置してもよい。
【００６２】
その他、本発明の趣旨を逸脱しない範囲で、上記した実施の形態における構成要素を周知の構成要素に置き換えることは適宜可能であり、また、上述した各実施形態および各変形例を適宜組み合わせてもよい。
【符号の説明】
【００６３】
２０  筐体
２３ａ  主面
４０  検出部
４１  突出部
４３  第一情報取得部
４４  温度センサ
４５  第二情報取得部
４６  脈拍センサ
５１  シールリング（弾性部材）
Ｕ  使用者（生体）
Ｕ１  手首
【図１】
2019092910.tif 000003
【図２】
2019092910.tif 000004
【図３】
2019092910.tif 000005
【図４】
2019092910.tif 000006
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
主面が生体に面した状態で、前記生体の被測定箇所に装着される筐体と、
前記生体の表面に近接配置されて前記生体の情報を取得する第一情報取得部と、前記第一情報取得部とは異なる前記生体の情報を取得する第二情報取得部と、を含み、前記筐体の前記主面から突出した突出部を有する検出部と、
を備え、
前記主面側から見た場合において、前記第一情報取得部は、前記第二情報取得部の周囲に配置されることを特徴とする生体情報検出装置。
【請求項２】
請求項１に記載の生体情報検出装置であって、
前記第一情報取得部および前記第二情報取得部は、前記検出部の表面において面一となるように設けられたことを特徴とする生体情報検出装置。
【請求項３】
請求項１または２に記載の生体情報検出装置であって、
前記第一情報取得部は、温度センサを備えたことを特徴とする生体情報検出装置。
【請求項４】
請求項３に記載の生体情報検出装置であって、
装着状態において、前記検出部における前記温度センサと前記生体との間に配置される領域は、金属材料により形成されていることを特徴とする生体情報検出装置。
【請求項５】
請求項３または４に記載の生体情報検出装置であって、
前記筐体は、前記検出部よりも熱伝導率の低い材料により形成されていることを特徴とする生体情報検出装置。
【請求項６】
請求項１から５のいずれか１項に記載の生体情報検出装置であって、
前記検出部は、前記筐体に対して弾性部材を介して圧入されていることを特徴とする生体情報検出装置。
【請求項７】
請求項１から６のいずれか１項に記載の生体情報検出装置であって、
前記検出部における前記突出部は、平面視したときの外形が前記生体の被測定箇所よりも小さいことを特徴とする生体情報検出装置。
【請求項８】
請求項１から７のいずれか１項に記載の生体情報検出装置であって、
前記第二情報取得部は、前記生体の脈拍に関する情報を取得することを特徴とする生体情報検出装置。
【請求項９】
請求項１から８のいずれか１項に記載の生体情報検出装置であって、
前記第一情報取得部および前記第二情報取得部のいずれか一方は、前記被測定箇所に対する前記検出部の装着状態に関する情報を取得することを特徴とする生体情報検出装置。
【請求項１０】
請求項１から９のいずれか１項に記載の生体情報検出装置であって、
前記生体の手首に装着可能とされていることを特徴とする生体情報検出装置。
【手続補正２】
【補正対象書類名】明細書
【補正対象項目名】０００６
【補正方法】変更
【補正の内容】
【０００６】
上記の課題を解決するため、本発明の生体情報検出装置は、主面が生体に面した状態で、前記生体の被測定箇所に装着される筐体と、前記生体の表面に近接配置されて前記生体の情報を取得する第一情報取得部と、前記第一情報取得部とは異なる前記生体の情報を取得する第二情報取得部と、を含み、前記筐体の前記主面から突出した突出部を有する検出部と、を備え、前記主面側から見た場合において、前記第一情報取得部は、前記第二情報取得部の周囲に配置されることを特徴としている。
なお、前記第一情報取得部および前記第二情報取得部は、前記検出部の表面において面一となるように設けられてもよい。